(57)【要約】【課題】蓄電池を用いた電力備蓄システムにおいて、蓄電池の劣化を回避し、非常時には電力備蓄システムが本来備えている備蓄可能量の電力のすべてを使用できるようにすること。【解決手段】少なくとも３個の蓄電池モジュール１０を有し、平常時には、所定の周期ごとに、所定の順序で選択される蓄電池モジュール１０から負荷に対して電力を供給すると共に、前回の周期で負荷に対して電力を供給した蓄電池モジュール１０を電源により充電することにより、平常時には蓄電池モジュール１０を順次リフレッシュし、非常時には蓄電池モジュール１０に充電されたすべての電力を利用可能とする。【選択図】図１
2016144299.tif 000002
【特許請求の範囲】
【請求項１】
少なくとも３個の蓄電池モジュールと、電源により前記蓄電池モジュールを充電し、前記蓄電池モジュールから負荷に対して電力を供給するための管理装置とを備えた電力備蓄システムであって、
前記管理装置が、平常時には、所定の周期ごとに、所定の順序で選択される前記蓄電池モジュールから前記負荷に対して電力を供給すると共に、前回の周期で前記負荷に対して電力を供給した前記蓄電池モジュールを前記電源により充電することにより、平常時には、前記蓄電池モジュールを順次リフレッシュし、非常時には、前記蓄電池モジュールに充電された電力を利用可能としたことを特徴とする電力備蓄システム。
【請求項２】
前記周期が１日であることを特徴とする請求項１に記載の電力備蓄システム。
【請求項３】
前記電源が太陽光発電装置を含むことを特徴とする請求項１または２に記載の電力備蓄システム。
【請求項４】
各周期に於いて、前記太陽光発電装置が対応する前記蓄電池モジュールを満充電できない場合には、他の電源を利用して当該蓄電池モジュールを満充電することを特徴とする請求項３に記載の電力備蓄システム。
【請求項５】
各周期に於いて、前記太陽光発電装置が対応する前記蓄電池モジュールを満充電できない場合には、次回の周期で前記太陽光発電装置により満充電することを特徴とする請求項３に記載の電力備蓄システム。
【請求項６】
前記太陽光発電装置は駆動装置によってソーラパネルが駆動されて太陽追尾を行うものであり、
前記駆動装置の電源が、前記平常時には商用電源であり、前記非常時には前記蓄電池モジュールであり、前記非常時にも前記太陽光発電装置が前記駆動装置によって太陽追尾する動作状態で前記蓄電池モジュールを充電することを特徴とする請求項３から５の何れか一項に記載の電力備蓄システム。
【請求項７】
前記負荷が各蓄電池モジュールを各周期内で略満放電する大きさに設定されていることを特徴とする請求項１から６の何れか一項に記載の電力備蓄システム。
【発明の詳細な説明】
【技術分野】
【０００１】
本発明は、蓄電池モジュールを用いた電力備蓄システムに関し、更に詳細には、避難所等に設置され、商用電源が喪失した非常時のバックアップ電源として用いられる電力備蓄システムに関する。
【背景技術】
【０００２】
蓄電池制御システムとして、電源が喪失していない平常時には、一つの蓄電池モジュールの充放電動作に関わる範囲を制限し、制限された範囲に従って蓄電池の充放電が行われるようにし、電源が喪失した非常時には、充放電動作の制限範囲を平常時における制限範囲よりも緩和された範囲に設定し、蓄電池に充電可能な電力や蓄電池から放電可能な電力を増やすものが知られている（例えば、特許文献１）。
【０００３】
蓄電池を備えた太陽光発電システムとして、系統停電が発生した場合の夜間の自立運転に備えて、昼間の自立運転では蓄電池回復充電電力量を確保した適正な負荷供給電力量となるように、非常用コンセントの負荷電力量に応じて非常用照明の点灯数を自動制御し、昼間の太陽光発電電力量により蓄電池モジュールの回復充電をしながら非常用負荷に電力供給をし、夜までに太陽光発電電力による回復充電を完了させるものが知られている（例えば、特許文献２）。
【先行技術文献】
【特許文献】
【０００４】
【特許文献１】ＪＰ２０１２−２５３８４１Ａ公報
【特許文献２】ＪＰ２０１３−１６２７１７Ａ公報
【発明の概要】
【発明が解決しようとする課題】
【０００５】
しかしながら、特許文献１に示されているような蓄電池制御システムでは、平常時には制限された範囲に従って蓄電池の充放電が行われるので、平常時には蓄電池モジュールが満放電および満充電に至らない充放電が繰り返されることになり、蓄電池の劣化および繰り返しの継ぎ足し充電によるメモリ効果が生じる。
【０００６】
特許文献２に示されているような太陽光発電システムでも、蓄電池が満放電および満充電に至らない充放電が繰り返されるので、蓄電池の劣化および繰り返しの継ぎ足し充電によるメモリ効果が生じる。
【０００７】
このため、何れのシステムにおいても、長期間の使用においては、蓄電池の電力備蓄量が自然に低減し、地震等の不測の非常時に電力備蓄システムが本来備えている備蓄可能量（計画備蓄量）の電力を使用できない状態になる虞がある。
【０００８】
本発明が解決しようとする課題は、蓄電池を用いた電力備蓄システムにおいて、蓄電池の劣化を回避し、更には繰り返しの継ぎ足し充電によるメモリ効果が生じることを回避し、長期間の使用においても蓄電池の電力備蓄量が低減することがなく、非常時には電力備蓄システムが本来備えている備蓄可能量の電力のすべてを使用できるようにすることである。
【課題を解決するための手段】
【０００９】
本発明による電力備蓄システムは、少なくとも３個の蓄電池モジュール（１０）と、電源（６０）により前記蓄電池モジュール（１０）を充電し、前記蓄電池モジュール（１０）から負荷（２４）に対して電力を供給するための管理装置（５０）とを備えた電力備蓄システムであって、前記管理装置（５０）が、平常時には、所定の周期ごとに、所定の順序で選択される前記蓄電池モジュール（１０）から前記負荷（２４）に対して電力を供給（放電）すると共に、前回の周期で前記負荷（２４）に対して電力を供給した前記蓄電池モジュール（１０）を前記電源（６０）により充電することにより、平常時には前記蓄電池モジュール（１０）を順次リフレッシュし、非常時には前記蓄電池モジュール（１０）に充電された電力を利用可能としたことを特徴としている。
【００１０】
この構成によれば、平常時には、全ての蓄電池モジュール（１０）が順次に放電と充電を繰り返してリフレッシュされるので、蓄電池モジュール（１０）が劣化することがなく、長期間の使用においても蓄電池モジュール（１０）の電力備蓄量が低減することがなく、非常時には電力備蓄システムが本来備えている備蓄可能量のすべての電力を使用することができる。
【００１１】
本発明による電力備蓄システムは、好ましくは、前記周期が１日であることを特徴とする。
【００１２】
この構成によれば、１日毎に蓄電池モジュール（１０）のリフレッシュが行われ、１日毎に１個の蓄電池モジュール（１０）を満充電することができる。この周期は、自然放電による蓄電量の低減を実質的に生じることなく電力を非常時に備えることと、１周期内に１個の蓄電池モジュール（１０）の電力を使い切ることに関して適切な周期である。
【００１３】
本発明による電力備蓄システムは、好ましくは、前記電源が太陽光発電装置（６０）を含むことを特徴とする。
【００１４】
この構成によれば、太陽光発電装置（６０）が発電する電力によって蓄電池モジュール（１０）を充電するので、長期間に亘る電力備蓄システムの運転コストが低く、経済性に優れている。
【００１５】
本発明による電力備蓄システムは、好ましくは、各周期に於いて、前記太陽光発電装置（６０）が対応する、つまり充電対象の前記蓄電池モジュール（１０）を満充電できない場合には、商用電源等の他の電源を利用して当該蓄電池モジュール（１０）を満充電することを特徴とする。
【００１６】
この構成によれば、雨天や雲空により太陽光発電装置（６０）の発電量が低い時も１周期内で蓄電池モジュール（１０）が満充電され、不測の非常事態に備えることができる。
【００１７】
本発明による電力備蓄システムは、好ましくは、各周期に於いて、前記太陽光発電装置（６０）が対応する前記蓄電池モジュール（１０）を満充電できない場合には、次回の周期で前記太陽光発電装置（６０）により満充電することを特徴とする。
【００１８】
この構成によれば、雨天や雲空により太陽光発電装置（６０）の発電量が低い時には、次の周期で蓄電池モジュール（１０）が満充電され、不測の非常事態に備えることができる。
【００１９】
本発明による電力備蓄システムは、好ましくは、前記太陽光発電装置（６０）は駆動装置（７０、７２）によってソーラパネルが駆動されて太陽追尾を行うものであり、前記駆動装置（７０、７２）の電源が、前記平常時には商用電源であり、前記非常時には前記蓄電池モジュール（１０）であり、前記非常時にも前記太陽光発電装置（６０）が前記駆動装置（７０、７２）によって太陽追尾する動作状態で前記蓄電池モジュール（１０）を充電することを特徴とする。
【００２０】
この構成によれば、非常時にも太陽光発電装置（６０）が太陽追尾する動作状態が確保され、太陽光発電装置（６０）による蓄電池モジュール（１０）の充電が良好に行われる。
【００２１】
本発明による電力備蓄システムは、好ましくは、前記負荷（２４）が各蓄電池モジュール（１０）を各周期内で略満放電する大きさに設定されていることを特徴とする。
【００２２】
この構成によれば、繰り返しの継ぎ足し充電によるメモリ効果が生じることなく、非常時には電力備蓄システムが本来備えている備蓄可能量のすべての電力を使用することができる。
【発明の効果】
【００２３】
本発明による電力備蓄システムによれば、平常時には、全ての蓄電池モジュールが順次に放電と充電を繰り返してリフレッシュされるので、蓄電池モジュールが劣化することがなく、長期間の使用においても蓄電池モジュールの電力備蓄量が低減することがなく、非常時には電力備蓄システムが本来備えている備蓄可能量のすべての電力を使用することができる。
【図面の簡単な説明】
【００２４】
【図１】本発明による電力備蓄システムの一つの実施形態を示すブロック線図。
【図２】本実施形態による電力備蓄システムの蓄電池モジュールの充放電スケジュールを示す図。
【図３】本実施形態による電力備蓄システムのモニタの平常時の画面表示を示す図。
【図４】本実施形態による電力備蓄システムのモニタの非常時の画面表示を示す図。
【発明を実施するための形態】
【００２５】
以下に、本発明による電力備蓄システムの一つの実施形態を、図１を参照して説明する。
【００２６】
電力備蓄システムは４個の蓄電池モジュール１０を有する。蓄電池モジュール１０は、各々、複数個のリチウムイオン蓄電池（バッテリセル）の集合体により構成され、一つの蓄電池モジュール１０毎に個別に充放電が可能である。なお、以下の説明において、充放電を行う蓄電池モジュール１０を特定するために、４個の蓄電池モジュール１０を、個別の番号♯１、♯２、♯３、♯４を付けて説明することがある。
【００２７】
蓄電池モジュール１０（蓄電池モジュール♯１〜♯４）には、蓄電池モジュール１０毎に個別のバッテリマネジメントユニット（ＢＭＵ）１２が接続されている。ＢＭＵ１２は、各蓄電池モジュール１０の電圧、電流、温度、蓄電残量等を監視する。ＢＭＵ１２はゲートウェイ１４を介して管理装置５０にＬＡＮ接続されており、蓄電池モジュール１０の電圧、電流、温度、蓄電残量等を示す情報を管理装置５０に送信する。
【００２８】
蓄電池モジュール１０は、放電用スイッチ１６によって、蓄電池モジュール１０毎に個別に且つ選択的にＤＣ／ＡＣインバータ１８の入力側に接続される。また、ＤＣ／ＡＣインバータ１８の入力側には、スイッチ４０によって後述する太陽光発電装置６０のＰＶモジュール６６が選択的に直接接続される。なお、各蓄電池モジュール１０の放電用スイッチ１６とＤＣ／ＡＣインバータ１８との間には、蓄電池モジュール１０からＤＣ／ＡＣインバータ１８への電流の流れのみを有するダイオード１７が接続されている。
【００２９】
ＤＣ／ＡＣインバータ１８は、蓄電池モジュール１０あるいは太陽光発電装置６０から直流電力を供給され、ＤＣ／ＡＣ変換を行って商用電源の交流と同じ電圧（１００Ｖ）および同じ周波数（５０Ｈｚあるいは６０Ｈｚ）の交流の電力を出力する。ＤＣ／ＡＣインバータ１８の出力側には、不図示の電気負荷を接続される予備電源ソケット２０が常時接続されていると共に、スイッチ２２によって夜間照明機器等の電気負荷２４が選択的に接続される。
【００３０】
電気負荷２４は、夜間照明機器等、１日の電気消費量が一定のものであってよく、一つの蓄電池モジュール１０を１日周期内で略満放電する大きさ（消費電力）に設定されている。換言すると、電気負荷２４の１日周期内における電力消費量が予め所定値に決まっていて、一つの蓄電池モジュール１０の蓄電容量が電気負荷２４の１日の電力消費量に等しい値に設定されている。電気負荷２４が夜間照明機器である場合には、スイッチ２２は、日没から日の出までの期間だけ閉じる光センサ付きの自動スイッチであってよい。
【００３１】
更に、ＤＣ／ＡＣインバータ１８の出力側には、スイッチ２６によって管理装置用ＤＣ電源５２及びＰＶ制御機器用ＤＣ電源７６が選択的に接続される。
【００３２】
蓄電池モジュール１０は、放電用スイッチ１６とは並列の充電用スイッチ２８によって蓄電池モジュール１０毎に個別に且つ選択的に太陽光発電装置６０のＰＶモジュール（ソーラパネル）６６にダイオード６８を介して接続されると共に、ダイオード３０を介してＡＣ／ＤＣコンバータ３２の出力側に接続される。ダイオード３０は、逆流防止のために、ＡＣ／ＤＣコンバータ３２から蓄電池モジュール１０へ向かう電流の流れのみを許すものである。また、各蓄電池モジュール１０の充電用スイッチ２８とＰＶモジュール６６との間には、ＰＶモジュール６６から蓄電池モジュール１０への電流の流れのみを有するダイオード２９が接続されている。
【００３３】
ＡＣ／ＤＣコンバータ３２は、スイッチ３４によって商用電源引き込み部３６に選択的に接続されることにより１００Ｖの交流電力を供給され、ＡＣ／ＤＣ変換を行って太陽光発電装置６０の直流電圧と同等の電圧の直流電力、換言すると、蓄電池モジュール１０の充電電圧による直流電力を蓄電池モジュール１０に対して出力する。これにより、商用電源によって蓄電池モジュール１０の充電が行われる。商用電源引き込み部３６はスイッチ３８によって管理装置用ＤＣ電源５２及びＰＶ制御機器用ＤＣ電源７６に選択的に接続される。
【００３４】
なお、前述の放電用スイッチ１６、充電用スイッチ２８およびスイッチ２２、２６、３４、３８、４０は、リレースイッチ、パワートランジスタ等により構成されている。
【００３５】
太陽光発電装置６０は、基台６２と、基台６２に仰角方向および方位角に移動可能に取り付けられた可動フレーム６４とを有する。可動フレーム６４には、複数個のＰＶモジュール６６が格子配列で取り付けられている。ＰＶモジュール６６は、太陽電池の集合体による一般的なものであり、２個直列接続されたものを３組並列に接続されて合計６個設けられ、直列接続されたもの毎に出力側にダイオード６８が接続されている。
【００３６】
太陽光発電装置６０側から観ると、ＰＶモジュール６６は充電用スイッチ２８によって蓄電池モジュール１０に選択的に接続されると共に、スイッチ４０によってＤＣ／ＡＣインバータ１８に選択的に接続される。ダイオード６８は、逆流防止のために、ＰＶモジュール６６から蓄電池モジュール１０あるいはＤＣ／ＡＣインバータ１８へ向かう電流の流れのみを許すものである。
【００３７】
可動フレーム６４は、電動ポンプと油圧シリンダ装置とによる電気・油圧式の仰角用アクチュエータ７０によって仰角方向に駆動され、同じく電気・油圧式の方位角用アクチュエータ７２によって方位角方向に駆動される。仰角用アクチュエータ７０および方位角用アクチュエータ７２は太陽追尾コントローラ７４に接続されている。太陽追尾コントローラ７４は、一般的なものであってよく、ＰＶ制御機器用ＤＣ電源７６を電源とし、ＰＶモジュール６６が太陽に正対するように仰角用アクチュエータ７０および方位角用アクチュエータ７２の駆動を制御する。
【００３８】
管理装置（電力蓄積・放電管理装置）５０は、コンピュータによって構成され、管理装置用ＤＣ電源５２から電力を供給されて作動する。管理装置５０には液晶表示パネル等によるタッチパネル付きのモニタ５４が接続されている。管理装置５０は、ＢＭＵ１２から各蓄電池モジュール１０の電圧、電流、温度、蓄電残量に関する情報をゲートウェイ１４を介して入力すると共に商用電源の状態を監視し、放電用スイッチ１６、充電用スイッチ２８およびスイッチ２２、２６、３８、４０の開閉を制御すると共に、システムの動作状態をモニタ５４に表示する処理を行う。
【００３９】
管理装置５０は、基本的には、各蓄電池モジュール１０に接続されている放電用スイッチ１６及び充電用スイッチ２８の開閉を個別に制御し、商用電源が通常通りに供給される平常時には、所定の周期ごとに、所定の順序で選択される１個の蓄電池モジュール１０から電気負荷２４および予備電源ソケット２０に対して電力を供給、つまり放電すると共に、前回の周期で電気負荷２４および予備電源ソケット２０に対して電力を供給した蓄電池モジュール１０を太陽光発電装置６０が発電した電力によって充電し、商用電源が喪失した非常時には、蓄電池モジュール１０に充電されたすべての電力を電気負荷および予備電源ソケット２０において利用可能とする。
【００４０】
これにより、電力備蓄システムは、平常時には、異なる２個の蓄電池モジュール１０に対して放電と充電とが行われる状態で、所定周期当たりシステム全体の備蓄電力の１／４を使用可能とし、充電が完了した蓄電池モジュール１０が常に２個存在する状態をもって非常時に対して電力の備蓄を行う。
【００４１】
平常時の蓄電池モジュール１０の充電は、主として太陽光発電装置６０が発電する電力によって行われるので、長期間に亘る電力備蓄システムの使用において、運転コストが低く、優れた経済性が得られる。
【００４２】
蓄電池モジュール１０の充放電の周期は１日であってよく、放電する蓄電池モジュール１０を１日毎に所定の順序に従って変更し、つまり放電する蓄電池モジュール１０が４日で一巡するようにし、１日前に放電した蓄電池モジュール１０の充電が行われる設定が好ましい。１日周期の場合には、図２に示されているように、本日は蓄電池モジュール♯１が放電していて蓄電池モジュール♯４が充電している翌日（１日後）には蓄電池モジュール♯２が放電して蓄電池モジュール♯１に充電が行われ、更にその翌日（２日後）には蓄電池モジュール♯３が放電して蓄電池モジュール♯２に充電が行われ、更にその翌日（３日後）には蓄電池モジュール♯４が放電して蓄電池モジュール♯３に充電が行われ、更にその翌日（４日後）には再び蓄電池モジュール♯１が放電して蓄電池モジュール♯４に充電が行われる充放電スケジュール（ローテーション）が管理装置５０によって設定される。
【００４３】
これにより、平常時には、蓄電池モジュール♯１〜♯４が１日毎に順次放電と充電とを繰り返して当該蓄電池モジュール♯１〜♯４がリフレッシュされるので、蓄電池モジュール♯１〜♯４の劣化が回避され、長期間の使用においても、蓄電池モジュール♯１〜♯４の電力備蓄量が低減することがなく、地震等の不測の非常時には電力備蓄システムが本来備えている備蓄可能量のすべての電力を使用することができる状態が高い信頼性をもって確実に確保される。１日毎に蓄電池モジュール１０のリフレッシュが行われ、１日毎に１個の蓄電池モジュール１０が満充電されることは、自然放電による蓄電量の低減を実質的に生じることなく計画通りの電力を非常事態に対して備えることと、１個の蓄電池モジュール１０の電力を１周期毎に使い切りこと（１個の蓄電池モジュール１０の蓄電容量設定）とに関して適切な周期と云える。
【００４４】
平常時には、図３に示されているように、蓄電池モジュール♯１〜♯４のうちの、どの蓄電池モジュール１０が放電を行い、どの蓄電池モジュール１０が充電を行っているかの情報が、蓄電池モジュール♯１〜♯４の蓄電残量がモニタ５４にビジュアルに画面表示される。これにより、電力備蓄システムの管理者は、モニタ５４を見ることにより、電力備蓄システムの状態を容易に把握することができる。
【００４５】
本実施形態の電力備蓄システムでは、異なる蓄電池モジュール１０において満放電（フル放電）と満充電（フル充電）とが１日周期毎に行われるから、繰り返しの継ぎ足し充電に起因するメモリ効果が生じることがない。メモリ効果が生じないことにより、長期間の使用においても、蓄電池モジュール♯１〜♯４の電力備蓄量が低減することがよく確実に回避され、地震等の不測の非常時には電力備蓄システムが本来備えている備蓄可能量の電力を使用することができる状態が、より一層確実に確保される。
【００４６】
１日周期内で１個の蓄電池モジュール１０が満放電することは、電気負荷２４が１個の蓄電池モジュール１０を１日周期内で満放電する大きさに設定されていることにより、確実に行われる。
【００４７】
雨天や曇り日等に太陽光発電装置６０の電力だけでは１日周期で充電対象の１個の蓄電池モジュール１０を満充電できない場合には、つまり、日没時（太陽光発電装置６０による充電終了時）に充電対象の１個の蓄電池モジュール１０が満充電されていない場合には、日没後に管理装置５０によってスイッチ３４が閉じ、商用電源引き込み部３６の商用電源（交流）の電力をＡＣ／ＤＣコンバータ３２によって所定電圧の直流に変換した電力によって不足分を充電することが行われる。
【００４８】
これにより、平常時には、雨天や雲空により太陽光発電装置６０の発電量が低い日でも、１日周期内で充電対象の蓄電池モジュール１０を満充電することが行われ、不測の非常時に備えることができる。商用電源による充電は夜間電力によって行われることが経済的である。この場合には、１日周期の更新時刻は、カレンダ設定された日の出時刻であってよく、低価格の夜間電力を有効に利用できる。また、太陽光発電装置６０の充電開始時刻および充電終了時刻はモニタ５４のタッチパネル等によって各月毎や四季毎に個別に設定することもできる。
【００４９】
なお、何れの場合も、満充電されれば、充電用スイッチ２８が開かれ、蓄電池モジュール１０の過充電が防止される。
【００５０】
晴天時や日照時間が長いことにより太陽光発電装置６０の１日の発電量が大きく、当該発電量が１個の蓄電池モジュール１０を満充電するのに必要な発電量以上である場合には、つまり、太陽光発電装置６０に余剰電力がある場合には、管理装置５０によってスイッチ４０を閉じて太陽光発電装置６０をＤＣ／ＡＣインバータ１８に直接接続することが行われ、太陽光発電装置６０の余剰電力（直流）を商用電源の交流と同じ電圧および周波数の交流に変換して予備電源ソケット２０に供給する。これにより、太陽光発電装置６０に余剰電力がある場合には、余剰電力が予備電源ソケット２０に接続される電気機器によって有効に消費される。
【００５１】
商用電源が喪失した非常時には、図４に示されているモニタ５４の画面表示において、蓄電池モジュール♯１〜♯４に充電されている電力を順次に利用可能にすること、つまり、放電用スイッチ１６を閉じて放電を行う１個の蓄電池モジュール♯１〜♯４をＤＣ／ＡＣインバータ１８に切替接続することを、タッチパネル操作等によって手動あるいは自動で行えるようになる。
【００５２】
これにより、非常時には、メモリ効果を生じることなく満充電状態にある２個の蓄電池モジュール１０に充電された電力が確実に利用可能になり、更には、必要に応じて本日放電だった蓄電池モジュール１０およびに本日充電だった蓄電池モジュール１０に充電された電力も利用可能にすることもでき、非常時の電源を確実に確保できる。このようにして、長期間の使用においても、非常時には電力備蓄システムが本来備えている備蓄可能量の電力のすべてを使用することができ、災害による長期間に亘る商用電源の喪失にも対応することができる。
【００５３】
平常時には、スイッチ２６が開いてスイッチ３８が閉じているので、管理装置用ＤＣ電源５２及びＰＶ制御機器用ＤＣ電源７６には商用電源引き込み部３６から商用電源の電力が供給され、管理装置５０、太陽追尾コントローラ７４、仰角用アクチュエータ７０、方位角用アクチュエータ７２は、蓄電池モジュール１０の電力を消費することなく商用電源を電源として動作する。
【００５４】
非常時には、スイッチ３８が開いてスイッチ２６が閉じるので、管理装置用ＤＣ電源５２及びＰＶ制御機器用ＤＣ電源７６には蓄電池モジュール１０が蓄電していた直流電力がＤＣ／ＡＣインバータ１８によって交流に変換されて供給される。
【００５５】
これにより、商用電源が喪失しても、管理装置５０、太陽追尾コントローラ７４、仰角用アクチュエータ７０、方位角用アクチュエータ７２に対して電力供給が行われ、非常時にも太陽光発電装置６０は、仰角用アクチュエータ７０および方位角用アクチュエータ７２によって太陽追尾する動作状態で動作し、蓄電池モジュール１０を効率よく充電する。この充電により、非常時が続いても、蓄電池モジュール１０によって電源を確保することができる。
【００５６】
以上、本発明を、その好適な実施形態について説明したが、当業者であれば容易に理解できるように、本発明はこのような実施形態により限定されるものではなく、本発明の趣旨を逸脱しない範囲で適宜変更可能である。
【００５７】
蓄電池モジュール１０は最低３個であればよく、蓄電池モジュール１０の個数は非常時の必要電力等に応じて定められればよい。蓄電池モジュール１０は、リチウムイオン蓄電池に限られることはなく、ナトリウム・硫黄電池（ＮＡＳ電池）やニッケル水素電池等の他の型式の二次電池であってもよい。上述の実施形態では、各ＢＭＵ１２は１個の蓄電池モジュール１０を管理するが、大容量の電力備蓄システムの場合には、各ＢＭＵ１２に複数個の蓄電池モジュール１０が接続され、各ＢＭＵ１２が複数個の蓄電池モジュール１０を管理するシステムでよい。
【００５８】
蓄電池モジュール１０の放電・充電の周期は、１日に限られることはなく、所定時間の周期、２〜３日や１週間等の所定日時の周期であってもよい。蓄電池モジュール１０の主充電は、太陽光発電装置６０によらずに、商用電源や風力発電等によって行われてもよい。太陽光発電装置６０によって所定周期内に１個の蓄電池モジュール１０を満充電できない場合の不足分の充電は、商用電源に限られることはなく、風力発電等の他の発電装置によって行うこともできる。また、太陽光発電装置６０では所定周期内に１個の蓄電池モジュール１０を満充電できない場合には、他の発電装置に依らずに次回の周期で太陽光発電装置６０によって満充電することもできる。他の発電装置に依らないことにより、システムの簡素化と経済性とが図られる。
【００５９】
また、上記実施形態に示した構成要素は必ずしも全てが必須なものではなく、本発明の趣旨を逸脱しない限りにおいて適宜取捨選択することが可能である。
【符号の説明】
【００６０】
１０    蓄電池モジュール
１２    バッテリマネジメントユニット（ＢＭＵ）
１４    ゲートウェイ
１６    放電用スイッチ
１７    ダイオード
１８    ＤＣ／ＡＣインバータ
２０    予備電源ソケット
２２    スイッチ
２４    電気負荷
２６    スイッチ
２８    充電用スイッチ
２９    ダイオード
３０    ダイオード
３２    ＡＣ／ＤＣコンバータ
３４    スイッチ
３６    商用電源引き込み部
３８    スイッチ
４０    スイッチ
５０    管理装置
５２    管理装置用ＤＣ電源
５４    モニタ
６０    太陽光発電装置
６２    基台
６４    可動フレーム
６６    ＰＶモジュール
６８    ダイオード
７０    仰角用アクチュエータ
７２    方位角用アクチュエータ
７４    太陽追尾コントローラ
７６    ＰＶ制御機器用ＤＣ電源
【図１】
2016144299.tif 000003
【図２】
2016144299.tif 000004
【図３】
2016144299.tif 000005
【図４】
2016144299.tif 000006